(57)【要約】【課題】適切な集砂ノズルの配置、噴射方向の設定及び池底形状を備え、低圧の噴射水によって集砂を行った場合でも沈砂の残留がなく、効率よく集砂を行うことができる沈砂池の除砂装置を提供すること。【解決手段】目開きを大きくしたノズル噴射形状を有する集砂ノズル２４ｄを水面上方に位置するように設置し、集砂ノズル２４ｄから噴射水を沈砂池１の壁面に衝突させることで、噴射角度を大きくし、砂の残留を少なくする。【選択図】図５
2018069180.tif 000002
【特許請求の範囲】
【請求項１】
沈砂池を排水、ドライ化後、集砂、揚砂する低圧式の集砂装置を用いた沈砂池の除砂装置において、目開きを大きくしたノズル噴射形状を有する集砂ノズルを水面上方に位置するように設置し、該集砂ノズルから噴射水を沈砂池の壁面に衝突させることで、噴射角度を大きくし、砂の残留を少なくすることを特徴とする沈砂池の除砂装置。
【請求項２】
集砂エリアブロック毎に、１個の集砂自動弁と複数の目開きを大きくしたノズル噴出形状を特徴とする請求項１に記載の沈砂池の除砂装置。
【請求項３】
矩形ループ状の集砂管の直管部に目開きを大きくしたノズルを取り付け、各ノズル部に位置調整機構を設けたこと特徴とする請求項１又は２に記載の沈砂池の除砂装置。
【請求項４】
矩形ループ状の集砂管の池中央の集砂トラフ上に、目開きを大きくした集砂ノズルを設けたこと特徴とする請求項１、２又は３に記載の沈砂池の除砂装置。
【請求項５】
揚砂ポンプに、抽気ポンプと渦巻きポンプを組み合せた自吸式揚砂ポンプを使用したこと特徴とする請求項１、２、３又は４に記載の沈砂池の除砂装置。
【請求項６】
揚砂ピットを円筒形とし、揚砂ピットの側面と底面の交線部をハンチ状又は円弧状に仕上げたこと特徴とする請求項１、２、３、４又は５に記載の沈砂池の除砂装置。
【請求項７】
揚砂ピットに流入するように勾配を付けた集砂トラフを池幅方向中央に設けるとともに、水路両壁側から集砂トラフに流入するように斜面を設けたこと特徴とする請求項１、２、３、４、５又は６に記載の沈砂池の除砂装置。
【請求項８】
池底部を、無筋コンクリートとモルタル打設で形成したこと特徴とする請求項１、２、３、４、５、６又は７に記載の沈砂池の除砂装置。
【請求項９】
池底部に仕切り板からなる整流機構を具備したこと特徴とする請求項１、２、３、４、５、６、７又は８に記載の沈砂池の除砂装置。
【請求項１０】
揚砂吸込管の吸込口と揚砂自動弁間に、逆洗自動弁を介して逆洗管を接続し、給水可能としたこと特徴とする請求項１、２、３、４、５、６、７、８又は９に記載の沈砂池の除砂装置。
【発明の詳細な説明】
【技術分野】
【０００１】
本発明は、沈砂池の除砂装置に関し、低圧式の集砂装置を用いた雨水又は汚水のポンプ井、貯留槽等を給水源とする除砂装置に関するものである。
【背景技術】
【０００２】
従来、下水処理場、ポンプ場等に設置される汚水池、雨水沈砂池、雨水滞留池等（本明細書において、総称して「沈砂池」という。）においては、当該沈砂池内に導入される汚水に含まれる固形物、例えば、汚砂は自然重力を利用して池底に沈殿、沈積させ、この沈砂を池底に設置した砂留ピットに集めて揚砂ポンプに吸い上げ排出するようにしている。
また、ほぼ水平に近い池底に沈殿する汚砂を砂留ピット内に流動集砂するために、池底あるいは池底近傍に多数のジェットノズルを、そのノズル孔を砂留ピットに向かうようにして配設し、このジェットノズルを順次切り替えて高圧ポンプから供給されるジェット水を噴射するようにしている。
【０００３】
しかしながら、このジェットノズルより高圧のジェット水を噴射することで沈殿した汚砂は、そのジェット水の噴射水圧にて砂留ピット側に向かって移動するも、比較的に軽い沈砂は再び舞い上がるようになり、集砂率が低下するとともに、ジェットノズルが特殊なものとなり高価であり、さらには池底形状も段や畝を設ける等、複雑な土木形状とする必要があり、工事も嵩むという問題があった。
【０００４】
また、ジェットノズルを池底あるいは池底近傍に配設することから、このジェットノズル本体及びこれにジェット水を供給する給水管を池底あるいは池底近傍に配設する必要がある。このため、汚水に含まれるごみ等がこれらのノズルや配管に引っかかったり、汚水中の石の衝突等にて破損したりすることがあり、これを防止するために保護カバーを設ける必要がある。さらには、ジェットノズルへのジェット水の供給を高圧にて行う必要があるので、給水ポンプは必然的に高圧となる。これらによって、イニシャルコスト、ランニングコストが多大となるという問題があった。
【０００５】
また、下水処理場、ポンプ場等に沈砂池が複数配備される場合、各沈砂池毎にそれぞれ１台の集砂装置を必要とし、このため、イニシャルコストが大きくなり、また定期的に各沈砂池毎にメンテナンスが必要になるという問題があった。
【０００６】
ところで、従来の沈砂池の集砂装置の有する問題点に鑑み、近年、沈砂池を排水、ドライ化した状態で低圧の噴射水によって集砂を行う低圧式の集砂装置が提案され、実用化されるようになってきている。
【０００７】
しかしながら、この低圧式の集砂装置は、低圧の噴射水によって集砂を行う関係上、集砂には、適切な集砂ノズルの配置、噴射方向の設定、池底形状等を考慮する必要があったが、従来の低圧式の集砂装置には、以下の問題があった。
１．集砂ノズルの配置は、水路両壁側及び水路底中央の集砂トラフの上流側の池底近くに設置され、集砂運転時以外は水面下にあり水没していた。水没中に異物の侵入による閉塞、腐食の進行、ノズルの状態が池上から確認できないという問題があった。
２．集砂ノズルは固定されており、噴射方向の変更ができなかった。
３．揚砂ポンプは、水中ポンプが使用されていた。１池に１台設置が必要であり、池数が多い場合は台数、電動機負荷が多くなり、設備費、補修費、電力料が大きくなる問題があった。
４．水中ポンプを使用する揚砂ピットは、概ね四角錐台を逆にした形状であった。池底に向け集砂ノズルを設ける対策をしても、沈砂が残る問題があった。
５．池底は、池中央に中央トラフ（ＳＵＳ製）を設け、その中央トラフに向かって両側から流れ込むように小トラフ（ＳＵＳ製）が多数設けられ、トラフ間に無筋コンクリートを打設して仕上げていた。このため、構造が複雑で、施工期間が長く、施工コストも高いという問題があった。
６．自吸ポンプは、揚砂吸込管が閉塞した場合、自動逆洗する方法がなかった。
【０００８】
なお、本件出願人は、先に、低コストな構造で、かつ低動力にて集砂できるようにした沈砂池の集砂装置を提案している（特許文献１参照。）が、上記の問題点のすべてを完全に解消するものではなかった。
【先行技術文献】
【特許文献】
【０００９】
【特許文献１】特開２００８−１２６１４５号公報
【発明の概要】
【発明が解決しようとする課題】
【００１０】
本発明は、従来の低圧式の集砂装置を用いた沈砂池の除砂装置の有する問題点を解消し、適切な集砂ノズルの配置、噴射方向の設定及び池底形状を備え、低圧の噴射水によって集砂を行った場合でも沈砂の残留がなく、効率よく集砂を行うことができる沈砂池の除砂装置を提供することを目的とする。
また、ポンプ場においては上水、処理水等を大量に使用できない場合があり、雨水若しくは汚水又はその混合水の循環利用に適用したノズルを用いた沈砂池の除砂装置を提供することを目的とする。
【課題を解決するための手段】
【００１１】
上記目的を達成するため、本発明の沈砂池の除砂装置は、沈砂池を排水、ドライ化後、集砂、揚砂する低圧式の集砂装置を用いた沈砂池の除砂装置において、目開きを大きくしたノズル噴射形状を有する集砂ノズルを水面上方に位置するように設置し、該集砂ノズルから噴射水を沈砂池の壁面に衝突させることで、噴射角度を大きくし、砂の残留を少なくすることを特徴とする。
【００１２】
この場合において、集砂エリアブロック毎に、１個の集砂自動弁と複数の目開きを大きくしたノズル噴出形状とすることができる。
【００１３】
また、矩形ループ状の集砂管の直管部に目開きを大きくしたノズルを取り付け、各ノズル部に位置調整機構を設けることができる。
【００１４】
また、矩形ループ状の集砂管の池中央の集砂トラフ上に、目開きを大きくした集砂ノズルを設けることができる。
【００１５】
また、揚砂ポンプに、抽気ポンプと渦巻きポンプを組み合せた自吸式揚砂ポンプを使用することができる。
【００１６】
また、揚砂ピットを円筒形とし、揚砂ピットの側面と底面の交線部をハンチ状又は円弧状に仕上げることができる。
【００１７】
また、揚砂ピットに流入するように勾配を付けた集砂トラフを池幅方向中央に設けるとともに、水路両壁側から集砂トラフに流入するように斜面を設けることができる。
【００１８】
また、池底部を、無筋コンクリートとモルタル打設で形成することができる。
【００１９】
また、池底部に仕切り板からなる整流機構を具備することができる。
【００２０】
また、揚砂吸込管の吸込口と揚砂自動弁間に、逆洗自動弁を介して逆洗管を接続し、給水可能とすることができる。
【発明の効果】
【００２１】
本発明の沈砂池の除砂装置によれば、沈砂池を排水、ドライ化後、集砂、揚砂する低圧式の集砂装置を用いた沈砂池の除砂装置において、目開きを大きくしたノズル噴射形状を有する集砂ノズルを水面上方に位置するように設置し、該集砂ノズルから噴射水を沈砂池の壁面に衝突させることで、噴射角度を大きくし、砂の残留を少なくすることができる。また、ノズルを水面上方に設置することで、ノズルの目詰まりを防止することができる。
【００２２】
また、集砂エリアブロック毎に、１個の集砂自動弁と複数の目開きを大きくしたノズル噴出形状とすることにより、池長が長い沈砂池においても集砂自動弁を切り替え順次噴射することにより、揚砂ピットまで効率よく集砂することができる。
【００２３】
また、矩形ループ状の集砂管の直管部に目開きを大きくしたノズルを取り付け、各ノズル部に位置調整機構を設けることにより、集砂ノズルの噴射位置を容易に最適位置に変更することができる。
【００２４】
また、矩形ループ状の集砂管の池中央の集砂トラフ上に、目開きを大きくした集砂ノズルを設けることにより、集砂トラフの移送力を高め、沈砂の残留をなくして揚砂ピットまで集砂することができる。
【００２５】
また、揚砂ポンプに、抽気ポンプと渦巻きポンプを組み合せた自吸式揚砂ポンプを使用することにより、沈砂池数が多い場合でも１台又は少ない台数の揚砂ポンプで揚砂することができる。水中ポンプを使用した場合よりも台数、電動機負荷が少なく、設備費、補修費、電力料を小さくすることができる。また、ポンプ本体が床上にあることから点検が容易で、修理する場合も、水中ポンプのように池内から引き上げる必要がなく、簡単に行うことができる。自吸ポンプには、ケーシング内に水を残すか、呼水を注水して自吸する方式のポンプがあるが、自吸力が弱く、揚砂吸込管を複数本分岐させ、揚砂自動弁を切り替えて自吸することは、運転時間が長くなるため現実的でない。また、本発明の用途から、対象が砂を含んだ下水であり、ケーシング内に長期滞留させることはできない。清水を注入するには配管等の設備が必要である。本発明で使用する抽気ポンプと組み合せた自吸ポンプは、自吸ポンプに比べ自吸性能が高く、沈砂池が深い場合でも使用可能である。また、吸込管を複数本分岐させ、揚砂自動弁を切り替えて自吸することができる。
なお、揚砂ポンプに、水中ポンプを使用することもでき、これを排除するものではない。
【００２６】
また、揚砂ピットを円筒形とし、揚砂ピットの側面と底面の交線部をハンチ状又は円弧状に仕上げることにより、沈砂が特に残留し易い揚砂ピットの隅角部に、沈砂が残留することを防ぐことができる。
【００２７】
また、揚砂ピットに流入するように勾配を付けた集砂トラフを池幅方向中央に設けるとともに、水路両壁側から集砂トラフに流入するように斜面を設けることにより、沈砂の残留がなく、効率よく集砂を行うことができる。
【００２８】
また、池底部を、無筋コンクリートとモルタル打設で形成することにより、池底構造が簡単で、施工期間が短く、施工コストも低廉にできる。
【００２９】
また、池底部に仕切り板からなる整流機構を具備することにより、揚砂ピットまで効率よく集砂することができる。
できる。
【００３０】
また、揚砂吸込管の吸込口と揚砂自動弁間に、逆洗自動弁を介して逆洗管を接続し、給水可能とすることにより、揚砂吸込管が閉塞した場合、自動逆洗することができる。
【図面の簡単な説明】
【００３１】
【図１】本発明の沈砂池の除砂装置の一実施例の説明図である。
【図２】図１の平面図である。
【図３】図２のＡ−Ａ矢視縦断面である。
【図４】図２のＢ−Ｂ矢視横断面である。
【図５】図２のＣ−Ｃ矢視横断面である。
【図６】同沈砂池の除砂装置を適用した沈砂池の池底を示す平面図である。
【図７】図６のａ−ａ矢視縦断面である。
【図８】図６のｂ−ｂ矢視横断面である。
【図９】図６のｃ−ｃ矢視横断面である。
【図１０】同沈砂池の除砂装置の揚砂ピットの側面と底面交線部の仕上げ図である。
【図１１】同沈砂池の除砂装置の集砂ノズルの位置調整機構の詳細図である。
【図１２】同沈砂池の除砂装置の集砂ノズルの逆洗機構のスケルトン図である。
【図１３】同沈砂池の除砂装置の集砂ノズルの例を示す説明図である。
【図１４】同沈砂池の除砂装置の集砂ノズルの例を示す説明図である。
【発明を実施するための形態】
【００３２】
以下、本発明の沈砂池の除砂装置の実施の形態を、図面に基づいて説明する。
【００３３】
図１〜図１２に、本発明の沈砂池の除砂装置を、雨水沈砂池に適用した例を示す。
【００３４】
この沈砂池の除砂装置は、沈砂池１を排水、ドライ化後、集砂、揚砂する低圧式の集砂装置を用いたものである。
【００３５】
沈砂池１には、流入側に、流入ゲート１２及び細目スクリーン１３（目幅２５ｍｍ以下のものが望ましい。）を、排出側に、流出ゲート１４及び雨水ポンプ１５を、それぞれ配設するようにしている。
【００３６】
沈砂池１の流れ方向の中央から流入側寄りに、揚砂ピット４を形成する。
揚砂ピット４は、円筒形をし、その直径Ｄ４は、φ８００〜２０００ｍｍ、好ましくは、φ１０００ｍｍ程度とする。
【００３７】
揚砂ピット４の側面と底面の交線部は、図１０（ａ）に示すようにハンチ状４１（Ｃ５０〜２００ｍｍ、好ましくは、Ｃ１００ｍｍ程度とする。）又は図１０（ｂ）に示すように円弧状４２（Ｒ５０〜２００ｍｍ、好ましくは、Ｒ１００ｍｍ程度とする。）に仕上げるようにする。
【００３８】
また、揚砂ピット４へ砂を導く傾斜面と垂直面が交わる交線部についても、断面の角をなくし、ハンチ状又は円弧状に仕上げることが望ましい。
【００３９】
揚砂ピット４に流入するように、勾配α５として、１／３０〜１／２００、好ましくは、１／５０程度の底傾斜を取った集砂トラフ５を流入側、流出側の池幅方向中央に形成する。
【００４０】
池幅方向中央の集砂トラフ５に両側から流入するように斜面を形成する。斜面の勾配α１１は、１／３〜１／１５、好ましくは、１／４程度とする。
【００４１】
沈砂池１の池底１１は、すべて無筋コンクリート打設、モルタル仕上げで形成する。
【００４２】
沈砂池１の池底１１は、無筋コンクリート打設、モルタル仕上げに付帯して仕切り板７を設けることができる。
【００４３】
沈砂池１の流れ方向を、Ｎｏ．１〜Ｎｏ．５ブロックに分け（ブロック数は、これに限定されるものではなく、池長さにより決定する。）、各ブロックに概ね矩形ループ状の集砂管２Ａ〜２Ｅ（矩形ループ状の集砂管を総称して、集砂管２４という。）を設ける。
【００４４】
集砂管のうち、Ｎｏ．２ブロックに配設する集砂管２Ｂを除く、集砂管２Ａ、２Ｃ〜２Ｅは、高水位（Ｈ．Ｗ．Ｌ）以上に設置されており、両池壁側と集砂トラフ５上に必要個数の集砂ノズル２４ｄが取り付けられている。
【００４５】
Ｎｏ．２ブロックに配設する集砂管２Ｂは、集砂運転の水位（Ｗ．Ｌ）（揚砂ピット４の上端よりやや高いレベル）以上に設置されており、両池壁側と集砂トラフ５上に必要個数の集砂ノズル２４ｄが取り付けられている。
【００４６】
各ブロックの集砂管２Ａ〜２Ｅ（２４）には、集砂ノズル２４ｄから低圧の噴射水を噴射することによって集砂を行うために、集砂水ポンプ２１から、集砂水管２２及び１個の集砂自動弁２３ａが設けられている分岐集砂水管２３を介して、集砂水が選択的に供給されるようにする。
【００４７】
各ブロックの集砂管２Ａ〜２Ｅ（２４）は、直管部２４ａと、エルボ形状の曲管部２４ｂとで、概ね矩形ループ状を形成してなり、直管部２４ａには、集砂ノズル２４ｄが取り付けられ、さらに、集砂ノズル２４ｄを取り付けた直管部２４ａの各ノズル部に、位置調整機構、本実施例では、回転ジョイント２４ｃが設けられている。回転ジョイント２４ｃは、図１１に示すような配置とする。
このように、直管部２４ａの各ノズル部に、位置調整機構として回転ジョイント２４ｃを設けることにより、集砂ノズル２４ｄの噴射位置を容易に各ノズルに応じた最適位置に変更することができる。
【００４８】
ここで、集砂ノズル２４ｄには、目開きを大きくしたノズル噴射形状を有するノズルを用いるようにする。
具体的には、図１３に示すように、除塵機の目幅（通常、２５ｍｍ。）を通過した夾雑物Ｇ（通常、２５ｍｍ以下。）に対して、目詰まりが生じにくい一辺が２５ｍｍ以上の断面を持つ円形状（φ４０ｍｍ程度）や偏平形状（長軸方向５０〜６０ｍｍ程度、短軸方向３〜４０ｍｍ程度の長円形状）のノズルを用いることができる。なお、集砂ノズル２４ｄの基部は、目詰まりが生じにくい一辺が２５ｍｍ以上の断面を持つ円形状（φ４０ｍｍ程度）に形成するようにしている。
この場合、集砂水に除塵機を通った雨水や汚水をそのまま用いる場合は、円形状又は円形状に近い偏平形状のノズルを、砂濾過した処理水を用いる場合は、それより偏平な形状のノズルを用いることが好ましい。
【００４９】
また、図１４に示すように、集砂ノズル２４ｄの噴射角度αは、集砂水の水質、ノズルの配置、池深さ等によって、例えば、０°（ストレート管）〜１０°の範囲で任意に設定する、具体的には、噴射角度αが異なるノズルを使い分けるようにする。
【００５０】
揚砂ピット４の中央に揚砂吸込管３１を設ける。
揚砂吸込管３１には、揚砂自動弁３１ａが設けられ、集合揚砂管３２に接続されている。集合揚砂管３２には、複数の他の沈砂池１の揚砂吸込管３１が接続されるとともに、自吸式揚砂ポンプ３３が設けられている。
【００５１】
各沈砂池１の揚砂吸込管３１には、揚砂自動弁３１ａの吸込口側に逆洗管２５が接続されている。
逆洗管２５は逆洗自動弁２５ａを介して、集砂水管２２に接続されている。
これにより、図１２に示すように、揚砂自動弁３１ａを閉じた状態で、逆洗自動弁２５ａを開いて、逆洗管２５から逆洗水（集砂水管２２から供給される水）を、揚砂吸込管３１に供給することにより、揚砂吸込管３１の閉塞を自動で解消することができる。
【００５２】
揚砂ポンプには、抽気ポンプ３４と渦巻きポンプを組み合せた、具体的には、抽気ポンプ３４を接続した渦巻きポンプからなる自吸式揚砂ポンプ３３を使用し、沈砂池１の床上に設置する。
これにより、沈砂池１の数が多い場合でも１台で揚砂することができる。
【００５３】
集合揚砂管３２の下流側、すなわち、自吸式揚砂ポンプ３３の吐出側は、沈砂分離機構６が接続されている。
本実施例においては、沈砂分離機構６は、沈砂分離機６１、沈砂ホッパ６２及び汚水沈砂池６３から構成されているが、これに限定されるものではなく、沈砂洗浄機等からなる沈砂洗浄設備を備えることもできる。
【００５４】
次に、この沈砂池の除砂装置の揚砂運転について説明する。
揚砂運転は、降雨終了後雨水の流入が終了した後に１つの沈砂池１毎に順次行う。
まず、雨水ポンプ１５で、低水位（Ｌ．Ｗ．Ｌ）まで排水するとともに、沈砂池１の流入ゲート１２及び流出ゲート１４を閉じ、沈砂池１の揚砂自動弁３１ａを開き、自吸式揚砂ポンプ３３を運転して、揚砂運転水位まで排水する。
【００５５】
Ｎｏ．２ブロックに配設した集砂管２Ｂの集砂自動弁２３ａを開き、揚砂ピット４内の揚砂を行う。
沈砂分離機構６は事前に起動され、以降の集砂運転中は連続運転する。
運転タイマーの設定時間で揚砂ピット４の運転が終了すると、Ｎｏ．２ブロックに配設した集砂管２Ｂの集砂自動弁２３ａを閉じる。
【００５６】
次に、Ｎｏ．１ブロックに配設した集砂管２Ａの集砂自動弁２３ａを開き、流入側のＮｏ．１ブロックの集砂を行う。自吸式揚砂ポンプ３３の運転は継続する。運転タイマーの設定時間で、Ｎｏ．１ブロックの集砂が終了すると、Ｎｏ．１ブロックに配設した集砂管２Ａの集砂自動弁２３ａを閉じる。
【００５７】
以下、同様の手順で、Ｎｏ．３ブロック→Ｎｏ．４ブロック→Ｎｏ．５ブロックの集砂を行う。
【００５８】
その後、もう一度、揚砂ピット４の集砂を行う。
Ｎｏ．２ブロックに配設した集砂管２Ｂの集砂自動弁２３ａを閉じた後、自吸式揚砂ポンプ３３で揚砂ピット４の最低水位まで排水し、水位計の設定水位で自吸式揚砂ポンプ３３を停止した後、揚砂自動弁３１ａを閉じ、沈砂分離機構６を停止する。
これにより、この沈砂池１の集砂、揚砂運転を終了する。
以下、同様の手順で、他の沈砂池１の除砂装置の揚砂運転を行う。
【００５９】
ここで、壁側の集砂ノズル２４ｄの噴射は、壁面の中間部から壁と傾斜底面が接する隅角部近傍間の壁面最適部に到達するように噴射する。運転転後の集砂状況を確認して集砂管２４の直管部２４ａに設けられた位置調整機構、本実施例では、回転ジョイント２４ｃを介して、各集砂ノズル２４ｄを直管部２４ａを回転することによって、各集砂ノズル２４ｄの噴射位置を最適位置に設定することができる。
揚砂ピット４及び集砂トラフ５上に設けた集砂ノズル２４ｄについては、回転ジョイント２４ｃを介して、集砂ノズル２４ｄを取り付けた直管部２４ａを回転することによって、集砂ノズル２４ｄの角度を最適角度に設定することができる。
【００６０】
また、揚砂吸込管３１には、揚砂自動弁３１ａの吸込口側に逆洗管２５が接続されているが、揚砂吸込管３１が閉塞して揚砂不能となった場合、揚砂吸込管３１内の流れがないことを検知して、自動逆洗を行う。
この自動逆洗は、該当する揚砂吸込管３１の揚砂自動弁３１ａを閉じ、逆洗自動弁２５ａを開いて、逆洗管２５から逆洗水（集砂水管２２から供給される水）を、揚砂吸込管３１に供給することにより、揚砂吸込管３１の閉塞解除を図る。一定時間経過後（タイマー設定による。）、逆洗自動弁２５ａを閉じ、揚砂自動弁３１ａを開いて揚砂を再開する。
閉塞が解除されない場合、自動逆洗操作を何回か繰り返した（回数は設定による。）後、それでも閉塞が解除されない場合は故障信号を発し、自吸式揚砂ポンプ３３以降の機器を停止させる。
【００６１】
以上、本発明の沈砂池の除砂装置について、その実施例に基づいて説明したが、本発明は上記実施例に記載した構成に限定されるものではなく、その趣旨を逸脱しない範囲において適宜その構成を変更することができるものである。
【産業上の利用可能性】
【００６２】
本発明の沈砂池の除砂装置は、集砂ノズルを水面上部に設置することで、ノズルの目詰まりを防止し、噴射位置の可変機能及び集砂に適した池底形状や整流機能を備え、効率よく集砂を行うことができる特性を有していることから、低圧の噴射水によって集砂を行った場合でも沈砂の残留がなく、沈砂池を排水、ドライ化後、集砂、揚砂する低圧式の集砂装置を用いた沈砂池の除砂装置の用途に好適に用いることができる。また、目開きを大きくしたノズルを用いることにより、汚水循環利用に適したシステム構成も可能である。
【符号の説明】
【００６３】
１  沈砂池
１１  池底
１２  流入ゲート
１３  細目スクリーン
１４  流出ゲート
１５  雨水ポンプ
２１  集砂水ポンプ
２２  集砂水管
２３  分岐集砂水管
２３ａ  集砂自動弁
２４（２Ａ〜２Ｅ）  集砂管
２４ａ  直管部
２４ｂ  曲管部
２４ｃ  回転ジョイント（位置調整機構）
２４ｄ  集砂ノズル
２５  逆洗管
２５ａ  逆洗自動弁
３１  揚砂吸込管
３１ａ  揚砂自動弁
３２  集合揚砂管
３３  自吸式揚砂ポンプ（渦巻きポンプ）
３４  抽気ポンプ
４  揚砂ピット
５  集砂トラフ
６  沈砂分離機構
６１  沈砂分離機
６２  沈砂ホッパ
６３  汚水沈砂池
７  仕切り板
【図１】
2018069180.tif 000003
【図２】
2018069180.tif 000004
【図３】
2018069180.tif 000005
【図４】
2018069180.tif 000006
【図５】
2018069180.tif 000007
【図６】
2018069180.tif 000008
【図７】
2018069180.tif 000009
【図８】
2018069180.tif 000010
【図９】
2018069180.tif 000011
【図１０】
2018069180.tif 000012
【図１１】
2018069180.tif 000013
【図１２】
2018069180.tif 000014
【図１３】
2018069180.tif 000015
【図１４】
2018069180.tif 000016